(57)【要約】【課題】ホストコンピュータのシリアルポート装置に対する命名を保存し固定する方法を提供する。【解決手段】ホストコンピュータのシリアルポート装置に対する命名の固定方法は、シリアルポート装置をホストコンピュータに接続し、ホストコンピュータのデバイスドライバを呼び出し使用者により命名及び名前の保存を実行し、命名された名前をホストコンピュータがシリアルポート装置のメモリーに書き込み、上述のステップより構成され、シリアルポート装置とホストコンピュータを接続した後、ホストコンピュータがシリアルポート装置の名前を命名の固定をし保存する。これにより、現行技術のフロー及び使用者の習慣に合致するだけではなく、導入を簡易にし使用を便利にする効果を達成することが可能である。【選択図】図３
2007241640.tif 000002
【特許請求の範囲】
【請求項１】
シリアルポート装置をホストコンピュータに接続し、
ホストコンピュータのデバイスドライバを呼び出し使用者により命名及び名前の保存を実行し、
命名された名前をホストコンピュータがシリアルポート装置のメモリーに書き込み、上述のステップより構成され、シリアルポート装置とホストコンピュータを接続した後、ホストコンピュータがシリアルポート装置の名前を固定命名することを特徴としたホストコンピュータのシリアルポート装置に対する命名の固定方法。
【請求項２】
前記ホストコンピュータがシリアルポート装置に接続した後、ホストコンピュータはシリアルポート装置のメモリーに対し過去に命名された名前の記録の有無を検査することを特徴とした請求項１に記載のホストコンピュータのシリアルポート装置に対する命名の固定方法。
【請求項３】
前記ホストコンピュータのデバイスドライバが命名を実行する時、シーケンス番号による命名或いは使用者による命名の方式を選択できることを特徴とした請求項１に記載のホストコンピュータのシリアルポート装置に対する命名の固定方法。
【請求項４】
前記シリアルポート装置のメモリーは不揮発性メモリー或いは揮発性メモリーにより構成されることが可能であることを特徴とした請求項１に記載のホストコンピュータのシリアルポート装置に対する命名の固定方法。
【請求項５】
前記シリアルポート装置は可携帯式の保存装置、入力デバイス、ＡＶ装置、拡張装置、或いはＰＤＡ等の周辺機器により構成されることが可能であることを特徴とした請求項１に記載のホストコンピュータのシリアルポート装置に対する命名の固定方法。
【請求項６】
前記ホストコンピュータとシリアルポート装置を接続するシリアルポートは、ＵＳＢ或いは、ＩＥＥＥ１３９４等のシリアル伝送形式により構成されることを特徴とした請求項１に記載のホストコンピュータのシリアルポート装置に対する命名の固定方法。
【請求項７】
シリアルポート装置をホストコンピュータに接続し、
ホストコンピュータのデバイスドライバが検索命令を実行し、シリアルポート装置が過去に命名された名前の記録が存在しないかを検査し、記録が存在する場合は、その記録をホストコンピュータに返し、記録が存在しない場合は、ホストコンピュータが命名規則（シーケンス制御方式）に従い命名フローを完成し、使用者が名前を変更する必要がない場合は、シーケンス制御により命名された名前をシリアルポート装置のメモリーに記録し、使用者がシリアルポート装置の名前を変更する場合は、変更された名前をシリアルポート装置のメモリーに記録する、上述のステップにより構成されることを特徴とした、請求項１に記載のホストコンピュータのシリアルポート装置に対する命名の固定方法。
【請求項８】
前記シリアルポート装置のメモリーは不揮発性メモリー或いは揮発性メモリーにより構成されることが可能であることを特徴とした請求項７に記載のホストコンピュータのシリアルポート装置に対する命名の固定方法。
【請求項９】
前記ホストコンピュータとシリアルポート装置を接続するシリアルポートは、ＵＳＢ或いは、ＩＥＥＥ１３９４等のシリアル伝送形式により構成されることを特徴とした請求項７に記載のホストコンピュータのシリアルポート装置に対する命名の固定方法。
【発明の詳細な説明】
【技術分野】
【０００１】
本発明は、シリアルポート装置をホストコンピュータに接続した後、使用者がホストコンピュータ内のデバイスドライバを起動し固定命名することにより、シリアルポート装置とホストコンピュータとを接続した時の固定的に命名された名前を取得することができることを特徴としたホストコンピュータのシリアルポート装置に対する命名の固定方法に関する。
【背景技術】
【０００２】
コンピュータ技術は日進月歩の速度で進化し、その発展の趨勢は演算処理の処理性能の強化、処理速度の高速化及び体積の縮小化の方向に邁進し、コンピュータが周辺機器と連接する接続ポートの数は減少し、伝送インターフェイスは大きくパラレル伝送及びシリアル伝送の二種類に分類され、そのうちパラレル伝送（Parallel  Port、IDE、PCMCIA等）の特徴は、伝送速度が速く、伝送線路が多くなる為、コストが高くなることであり、シリアル伝送（Serial  Port、ＵＳＢ、IEEE1394等）の特徴は、伝送速度が速く、装着が簡単であり、技術的に発達している等であり、その多くは大容量のストレージ装置に応用され、例えばホストコンピュータとＨＤＤの間でデータの読み書き或いはホストコンピュータとＣＤの間のデータの読み書き等に応用され、更に通常シリアルポートはＵＳＢ（Universal  Serial  Bus）とＩＥＥＥ１３９４を備えてなり、ＵＳＢとＩＥＥＥ１３９４は現在多く利用されているシリアル伝送の規格である。
その特徴は、同時に多くのシリアルポート装置に読み書き可能であり、HOT  SWAP、PLUG＆PLAY、及びマルチノード対応等があり、伝送速度は既に高速に発達し、シリアルポートはパソコン周辺機器の運用及びパソコン周辺機器と電子製品の間のデータ転送の重要な規格としてなり、例えば、可携帯式シリアルポート装置は、多くの保存装置（メモリースティック、外付けＨＤＤ等）、入力デバイス（マウス、ジョイスティック、外付け式キーボード）、デジタルＡＶ装置（ＭＰ３（MPEG  Layer3）、デジタルカメラ、デジタルビデオ等）、通信装置（携帯電話）、ＰＤＡ（PERSONAL  DIGITAL  ASSISTANT）、拡張装置（ＨＵＢ、外付けＨＤＤ、外付けＣＤ、カードリーダー等）等の周辺機器により構成される。
携帯不可能なシリアルポート装置としては、プリンター、スキャナー、キーボード等の周辺機器で構成され、大部分の周辺機器を含み、この外、パソコンが周辺機器に連接するポート数の減少に伴い、ＨＵＢを利用して日増しに増加する周辺機器を連接することが必要になり、ＨＵＢは同じ規格のポートによりパソコンと周辺機器を連接させ使用することができ、よって、シリアルポートは最も広く利用される連接インターフェイスとしてなり、シリアルポートインターフェイスを備えた周辺機器は用途が広く、学生、社会人等が学習或いは勤務時に不可欠な物品となっている。
【０００３】
更に、現在デジタルＡＶ装置（ＭＰ３、ＰＤＡ、デジタルカメラ、デジタルビデオ等）、及び通信装置（携帯電話）、の多くはメモリーカードを設けてなり、メーカーごとに異なる形式、サイズ、規格のメモリーカードを設けてなり、現在市場で多くあるのは、ＭＭＣ（Multimedia  Card）、ＣＦ（CompactFlashCard）、ＳＭＣ（SmartMedia（登録商標）Card）、ＭＳ（Memory  Stick）、ＳＤ（SecureDigitalMemoryCard）ＸＤ等のメモリーカード規格であり、メモリーカードが市場に登場して以来多くの消費者に利用され、日常において不可欠な製品となり、メモリーカードが電子製品上に広く利用されることに相対し多種メモリーのメモリーカードリーダーの需要も大幅に増加している。
【０００４】
図１に示すように、公知の技術によるシステムの構築は、一般にシリアルポート装置ＢがホストコンピュータＡに連接する時、ホストコンピュータＡに対するシリアルポート装置Ｂの命名は、ホストコンピュータＡのシステムにより直接決定され、ホストコンピュータＡは一般の命名規則（シーケンス制御方式等）により命名し、一般に使用者は異なる時間にシリアルポート装置Ｂを同一或いは異なるホストコンピュータＡに連接した後、同一或いは異なるホストコンピュータＡの異なるシリアルポート上には同一のシリアルポート装置Ｂの異なる名前が表示され、この時、使用者は対応するドライブパス或いはシリアルポートＢの設置位置（例えばマウス、ジョイスティック、外付けキーボード、プリンター、スキャナー等）を探すことが困難であり、使用者のシリアルポートＢに対する判別は困難である。
【０００５】
現在の社会では、パソコンを使用する人は使用台数がただ一台に限らず、使用者がパソコンを操作する時、周辺機器が多くパソコンが周辺機器を連接するポート数は少ない為、シリアルポート用のＨＵＢは日増しに増加する周辺機器の連接に使用され、その外、科学技術の進歩に従い、電子製品はより軽く、より薄く、より短く、より小さく、及びより多機能へと発展し、カードコネクタは電子製品の省スペース化の為に小型化され、更に多種のメモリーカードを備えたカードリーダーをＡＶ機器及び通信装置のメモリーカードに提供し使用することが必要とされ、ＨＵＢの各シリアルポートとカードリーダーの各スロットの使用は、ホストコンピュータに対応するドライブパスを開くことができるが、ホストコンピュータに開かれたドライブパスが大量に増加されたとしても検索は困難であり、又、入力デバイスは、ホストコンピュータのデバイスマネージャーにて多く出現して、シリアルポートの識別をすることが不可能である。
【０００６】
可携帯式シリアルポートのメモリースティック或いは外付けＨＤＤ等の保存装置において、固定パスを備えた実行プログラム或いはハイパーリンクされたファイルにアクセスする時、毎回接続した後に、そのホストコンピュータはシーケンス番号の付けられたドライブパスを開き、そのドライブパスとパスの固定された実行プログラム或いはハイパーリンクされたファイルのシーケンス番号は異なり、システムが実行プログラム或いはハイパーリンクファイルに接続し実行することができず、可携帯式シリアルポートのメモリースティック或いは外付けＨＤＤ等の保存装置はホストコンピュータの固定装着された保存装置となることができないのである。
【０００７】
シリアルポートをホストコンピュータに接続する時に一般の命名規則に従い命名する方式は既に深く根付いているが、シリアルポート装置の使用を便利にする為には何らか解決が必要とされ、関連業者の解決すべき重要な課題となっている。
【特許文献１】特開２００４−２１１３６５４号公報
【発明の開示】
【発明が解決しようとする課題】
【０００８】
本発明は、シリアルポート装置をホストコンピュータに接続する時に、ホストコンピュータ内に導入されているデバイスドライバにより命名及び該命名の保存・固定を実行し、次回シリアルポートをホストコンピュータと接続した後、直ぐにホストコンピュータとシリアルポート装置の対応する固定命名された名前を発生できるようにすることを目的とする。
【課題を解決するための手段】
【０００９】
本発明のホストコンピュータのシリアルポート装置に対する命名の固定方法は、シリアルポート装置をホストコンピュータに接続し、ホストコンピュータのデバイスドライバを呼び出し使用者により命名及び名前の保存を実行し、命名された名前をホストコンピュータがシリアルポート装置のメモリーに書き込んで固定して保存し、上述のステップより構成され、シリアルポート装置とホストコンピュータを接続した後、ホストコンピュータがシリアルポート装置の名前を固定命名する。
【００１０】
即ち、前記課題を解決するために、請求項１の発明は、シリアルポート装置をホストコンピュータに接続し、ホストコンピュータのデバイスドライバを呼び出し使用者により命名及び名前の保存を実行し、命名された名前をホストコンピュータがシリアルポート装置のメモリーに書き込み、上述のステップより構成され、シリアルポート装置とホストコンピュータを接続した後、ホストコンピュータがシリアルポート装置の名前を固定命名することを特徴としたホストコンピュータのシリアルポート装置に対する命名の固定方法である。
【００１１】
請求項２の発明は、前記ホストコンピュータがシリアルポート装置に接続した後、ホストコンピュータはシリアルポート装置のメモリーに対し過去に命名された名前の記録の有無を検査することを特徴とした請求項１に記載のホストコンピュータのシリアルポート装置に対する命名の固定方法である。
請求項３の発明は、前記ホストコンピュータのデバイスドライバが命名を実行する時、シーケンス番号による命名或いは使用者による命名の方式を選択できることを特徴とした請求項１に記載のホストコンピュータのシリアルポート装置に対する命名の固定方法である。
請求項４の発明は、前記シリアルポート装置のメモリーは不揮発性メモリー或いは揮発性メモリーにより構成されることが可能であることを特徴とした請求項１に記載のホストコンピュータのシリアルポート装置に対する命名の固定方法である。
請求項５の発明は、前記シリアルポート装置は可携帯式の保存装置、入力デバイス、ＡＶ装置、拡張装置、或いはＰＤＡ等の周辺機器により構成されることが可能であることを特徴とした請求項１に記載のホストコンピュータのシリアルポート装置に対する命名の固定方法である。
請求項６の発明は、前記ホストコンピュータとシリアルポート装置を接続するシリアルポートは、ＵＳＢ或いは、ＩＥＥＥ１３９４等のシリアル伝送形式により構成されることを特徴とした請求項１に記載のホストコンピュータのシリアルポート装置に対する命名の固定方法である。
【００１２】
請求項７の発明は、シリアルポート装置をホストコンピュータに接続し、ホストコンピュータのデバイスドライバが検索命令を実行し、シリアルポート装置が過去に命名された名前の記録が存在しないかを検査し、記録が存在する場合は、その記録をホストコンピュータに返し、記録が存在しない場合は、ホストコンピュータが命名規則（シーケンス制御方式）に従い命名フローを完成し、使用者が名前を変更する必要がない場合は、シーケンス制御により命名された名前をシリアルポート装置のメモリーに記録し、使用者がシリアルポート装置の名前を変更する場合は、変更された名前をシリアルポート装置のメモリーに記録する、上述のステップにより構成されることを特徴とした、請求項１に記載のホストコンピュータのシリアルポート装置に対する命名の固定方法である。
【００１３】
請求項８の発明は、前記シリアルポート装置のメモリーは不揮発性メモリー或いは揮発性メモリーにより構成されることが可能であることを特徴とした請求項７に記載のホストコンピュータのシリアルポート装置に対する命名の固定方法である。
請求項９の発明は、前記ホストコンピュータとシリアルポート装置を接続するシリアルポートは、ＵＳＢ或いは、ＩＥＥＥ１３９４等のシリアル伝送形式により構成されることを特徴とした請求項７に記載のホストコンピュータのシリアルポート装置に対する命名の固定方法である。
【発明の効果】
【００１４】
本発明のホストコンピュータのシリアルポート装置に対する命名の固定方法によれば、経済的、直接的、効果的に以下の長所を備える。
（１）経済的；ハードウェア（キーボード等）の設置による補助が不要である。
（２）直接的；現行技術の目的に完全に合致することを前提にして、ホストコンピュータ１が命名する行為は更に使用者の操作する習慣に合致させ、命名プロセスはシリアルポート装置２の導入フローに対する影響を最小限にする。
（３）効果的；ホストコンピュータ１の導入フロー及びシリアルポート装置２の規格に従い、シリアルポート装置２の導入の失敗を防ぎ、シリアルポート装置２の使用の利便性を改善することができる。
【発明を実施するための最良の形態】
【００１５】
上述の目的及び効果を達成する為、本発明が採用した技術的手段及びその構造について、以下、実施例及び図面を用いてその特徴と効果を詳細に説明する。
図２に示すように、本発明の構成は、シリアルポート装置２をホストコンピュータ１に接続した後、そのホストコンピュータ１のデバイスドライバは検索命令を実行し、以前のシリアルポート装置２の名前の記録の有無を検索し、この時、記録が存在する場合は、その記録をホストコンピュータ１に返し、ホストコンピュータ１はこの名前によって命名フローを完成し、記録が存在しない場合は、ホストコンピュータ１は元の命名規則（シーケンス制御法）に従い命名フローを完成し、使用者自身で名前を設定する必要がない場合は、このシーケンス制御により予め設定された名前が命名され、この命名された名前をシリアルポート装置２のメモリー２１内に記録し、更に、使用者がシリアルポート装置２の名前を変更する場合は、変更された名前をシリアルポート装置２のメモリー２１内に記録する。
なお、メモリー２１は不揮発性メモリー或いは揮発性メモリーであり、ホストコンピュータ１とシリアルポート装置２を接続するシリアルポートは、ＵＳＢ或いは、ＩＥＥＥ１３９４等のシリアル伝送形式により構成されている。
【００１６】
図２，３に示すように、本発明の構成は、シリアルポート装置２とホストコンピュータ１を接続した後、以下のステップ３０１乃至３０８を順次実行する。
ステップ３０１：シリアルポート装置２をホストコンピュータ１に連接
ステップ３０２：次に、ホストコンピュータ１は以前のシリアルポート装置２の名前の記録の存在の有無を検査し、有（YES）の場合はステップ３０３を実行し、無（NO）の場合はステップ３０４を実行する。
ステップ３０３：ホストコンピュータ１がシリアルポート装置２の名前の記録を書き込み、ステップ３０８を実行
ステップ３０４：ホストコンピュータ１はシーケンス制御に従いシリアルポート装置２に対し命名
ステップ３０５：ステップ３０４の実行後、使用者によるシリアルポート装置２の名前決定の有無を判断し、有（YES）の場合は、ステップ３０６を実行、無（NO）の場合はステップ３０７を実行
ステップ３０６：ステップ３０５で有（YES）の場合は、自ら決定した名前をシリアルポート装置２のメモリー２１に記録し、ステップ３０８を実行
ステップ３０７：ステップ３０５で無（NO）の場合は、シーケンス制御で命名された名前をシリアルポート装置２のメモリー２１に記録し、ステップ３０８を実行
ステップ３０８：シリアルポート装置２に対する命名プロセスを完成
【００１７】
上述したステップにより構築されたシステムを説明すると、図４に示すように、本発明を多数のホストコンピュータ１に使用した場合、それぞれホストコンピュータ１の固定命名した名前は、デバイスドライバが設定することにより同一の名前になり、使用者はシリアルポート装置２を家庭内用、社内用、会議用等の異なるホストコンピュータ１で簡単に接続して使用することが可能である。
【００１８】
更に、シリアルポート装置２がメモリースティック或いは外付けＨＤＤ等の可携帯式保存装置、通信装置、或いはＰＤＡ（PERSONAL  DIGITAL  ASSISTANT）にてなり、シリアルポート装置２内の固定パスを備える実行プログラム或いはハイパーリンクされたファイルにアクセスする時、毎回接続後、そのホストコンピュータ１は直ぐに固定命名されたドライブパスを開き、シリアルポート装置２内の実行プログラム或いはハイパーリンクされたファイルはシステムにより直接にホストコンピュータ１に連接することができ、シリアルポート装置２はホストコンピュータ１の固定設置された保存装置としてなり、シリアルポート装置２を探す時間を簡単化することができる。
【００１９】
シリアルポート装置２がカードコネクタ或いはＨＵＢ等の周辺機器にてなり、シリアルポート装置２内の固定パスを備える実行プログラム或いはハイパーリンクされたファイルにアクセスし、そのカードリーダーの各スロットとＨＵＢの各シリアルポートを使用する時、ホストコンピュータ１の大量増加したドライブパスに既に固定命名された対応するドライブパスを開くことができ、ホストコンピュータ１は各シリアルポート装置２の実際のドライブパスを簡単に探すことが可能である。
【００２０】
シリアルポート装置２がマウス、ジョイスティック、外付けキーボード、或いはプリンター、スキャナー、或いはキーボード等の装置にてなり、シリアルポート装置２内の固定パスを備える実行プログラム或いはハイパーリンクされたファイルにアクセスする時、ホストコンピュータ１のデバイスマネージャーにて既に固定命名された対応するシリアルポートが出現してなり、この方法は現行技術の目的前提と完全に合致するだけでなく、ホストコンピュータ１が命名する行為は使用者の操作の習慣と合致することができ、命名プロセスが元のシリアルポート装置２インストールフローに対する影響は少なく、シリアルポート装置２のインストールの失敗を起こすことなく、シリアルポート装置２の使用利便性を改善することが可能である。
【００２１】
シリアルポート装置２がメモリースティック或いは外付けＨＤＤ等の保存装置にてなり、シリアルポート装置２がデバイスドライバの無いホストコンピュータ１に連接する時、そのホストコンピュータ１のドライブパスは既にデバイスドライバの導入されたシリアルポート装置２の内容を読み取ることができないが、本発明はホストコンピュータ１にシーケンス番号の付けられたドライブパスを設置することにより既にデバイスドライバの導入されたシリアルポート装置２の内容を読み取り可能とする。
【００２２】
上述のホストコンピュータ１及びシリアルポート装置２が対応接続するシリアルポートはＵＳＢ及びＩＥＥＥ１３９４インターフェイスにてなることができる。
【００２３】
上述のシリアルポート装置２は、可携帯式或いは非携帯式に分けられ、可携帯式のシリアルポート装置２の多くは保存装置（メモリースティック、外付けＨＤＤ等）、入力デバイス（マウス、ジョイスティック、外付けキーボード）、ＡＶ装置（ＭＰ３（MPEGLayer3）、デジタルカメラ、デジタルビデオ等）、通信装置（携帯電話）、ＰＤＡ（PERSONAL  DIGITAL  ASSISTANT）、及び拡張装置（ＨＵＢ、外付けＨＤＤ、外付けＣＤ、カードリーダー等）等の周辺機器から構成され、非携帯式のシリアルポート装置２の多くはプリンター、スキャナー、或いはキーボード等の周辺機器より構成される。
【００２４】
上述のシリアルポート装置２のメモリー２１はフラッシュメモリー（Flash）、ＥＲＯＭ（Electrically Programmable Read Only Memory）、ＥＥＲＯＭ（Electrically Erasable Read Only Memory）、ＥＰＲＯＭ（Erasable Programmable Read Only Memory）、ＥＥＰＲＯＭ（Electrically Erasable Programmable Read Only Memory）、ＲＡＭ（Random Access Memory）、ＳＤＲＡＭ（Sybchronous Dynamic Random Access Memory）、ＤＲＡＭ（Dynamic Random Access Memory）、或いは、ＤＤＲ−ＳＤＲＡＭ（Double Data Rate Sybchronous Dynamic Random Access Memory）から構成される。
【００２５】
本実施例は、以上のようなホストコンピュータ１のシリアルポート装置に対する固定命名の方法であるので、経済的、直接的、効果的に次のような長所を備える。
（１）経済的；ハードウェア（キーボード等）の設置による補助が不要である。
（２）直接的；現行技術の目的に完全に合致することを前提にして、ホストコンピュータ１が命名する行為は更に使用者の操作する習慣に合致させ、命名プロセスはシリアルポート装置２の導入フローに対する影響を最小限にする。
（３）効果的；ホストコンピュータ１の導入フロー及びシリアルポート装置２の規格に従い、シリアルポート装置２の導入の失敗を防ぎ、シリアルポート装置２の使用の利便性を改善することができる。
【００２６】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができる。
【図面の簡単な説明】
【００２７】
【図１】従来公知のシステムの説明図である。
【図２】本発明の実施例のシステムの説明図である。
【図３】本発明の実施例の動作フロー図である。
【図４】本発明の実施例を、多数のホストコンピュータに使用した状態の説明図である。
【符号の説明】
【００２８】
１  ホストコンピュータ
２  ＵＳＢポート装置
２１  メモリー
Ａ  ホストコンピュータ
Ｂ  ＵＳＢポート装置
【図１】
2007241640.tif 000003
【図２】
2007241640.tif 000004
【図３】
2007241640.tif 000005
【図４】
2007241640.tif 000006